(57)【特許請求の範囲】
【請求項１】
アレー状の複数の雄型端子と電気コネクタの雌型端子との嵌合の際、前記雄型端子を前記雌型端子と整列させる装置であって、
第１開口を通って前記アレー状の雄型端子が挿入可能であるが該雄型端子が固定されない寸法に設定された複数の前記第１開口を有する固定板と、
前記電気コネクタの前記雌型端子が印刷回路基板上の前記雄型端子と嵌合すると、前記固定板に向って且つ前記雄型端子に対してシフト可能である整列板とを具備し、
前記整列板は第２開口を有し、
該第２開口は、該第２開口を通って前記アレー状の雄型端子が挿入できる寸法に設定され、
前記雄型端子は、最初に前記第１開口を通って次に前記第２開口を通って挿入されると、次第に整列されるように、前記整列板が前記固定板から離間した位置に保持されていることを特徴とする端子整列装置。
【請求項２】
前記アレー状の端子に対する固定位置に前記固定板を取り付ける手段を有することを特徴とする請求項１記載の端子整列装置。
【請求項３】
前記固定板はハウジング組立体の一部を具備し、該ハウジング組立体は、前記電気コネクタを嵌合位置で前記ハウジング組立体に固定するために前記電気コネクタの相補的な固定手段と係合可能な固定具をさらに有することを特徴とする請求項２記載の端子整列装置。
【請求項４】
前記固定手段はボルトを有し、前記固定具は雌型ねじ部材を有することを特徴とする請求項３記載の端子整列装置。
【請求項５】
前記雌型ねじ部材は、前記固定板から上方に延びるサイロによって取り囲まれることを特徴とする請求項４記載の端子整列装置。
【請求項６】
前記サイロは、該サイロを超えて上方に延びるスカート部により取り囲まれていることを特徴とする請求項５の記載の端子整列装置。
【請求項７】
嵌合の際、前記電気コネクタと係合するために、複数の整列ポストが前記固定板から露出位置に前記整列板を通って上方に延びることを特徴とする請求項１記載の端子整列装置。
【請求項８】
外壁が、前記固定板の縁から上方に延び、前記雄型端子の嵌合部が延びるキャビティを形成することを特徴とする請求項１記載の端子整列装置。
【請求項９】
前記第１開口は、ブレードの形態の雄型端子を受容する矩形開口を有することを特徴とする請求項１記載の端子整列装置。
【請求項１０】
隔壁上に実装可能で、該隔壁を超えて延びる別体のハウジング副組立体を具備することを特徴とする請求項１記載の端子整列装置。
【発明の詳細な説明】
【０００１】
【発明の属する技術分野】
本発明は、電気コネクタと、印刷回路基板上の端子及び電気プラグコネクタの接続を容易にする組立体とに関する。より詳細には、多数の電気コネクタに信頼性高く接続するための印刷回路基板の整合に関する。
【０００２】
【従来の技術】
自動車の電子部品は、一般的に別体のモジュール又は副組立体内に収容されている。代表的な電子部品は印刷回路基板上に実装され、別体のモジュールは、多数の個別電線を含むワイヤハーネスにより接続される。ジャンクションボックス又は配電モジュール等のモジュールは、一般的に印刷回路基板に半田付けされヘッダに実装されたピン又はブレードを有する。この結果、雄型ピン又はブレードは、相手リセプタクル又は雌型コンタクト又は端子を有するプラグコネクタに接続可能となる。同一のヘッダに多数の端子又はコンタクトが実装されることが多いので、嵌合に要する力は極めて高くなる。カム又はボルト等の機械的補助手段がこの力を克服するために使用されることが多い。嵌合の際、多数の雄型及び雌型端子を整列させることの困難性に加え、嵌合の補助に要する機械的力はまた、ハウジング又はヘッダを撓め又は変形させ、印刷回路基板を歪め、大きな誤整合さえも招く。例えば、ボルトを使用することによりワイヤハーネスが接続される従来の配電センタにおいて、ボルトに加わる力は、印刷回路基板が背後に配置される隔壁を歪めるので、隔壁の動きにより、隔壁の孔を貫通する端子ピンを歪め得る。
【０００３】
従来の電線対電線コネクタに関しては、雄型端子を相手雌型端子に係合させる可動整列板を使用することにより、ピン整列問題が処理されてきた。このようなコネクタの例は、米国特許第５，５０１，６０６号及び米国特許第６，００４，１５８号に示されている。これらの米国特許に記載されたボルト締め型コネクタの整列板は、嵌合するプラグ及びリセプタクルハウジングにラッチされる雄型及び雌型端子間の嵌合を補助するのに使用されてきた。これらの米国特許に示される両コネクタの端子は制限された量だけ横方向に移動自在であり、整列板は、横方向の十分な整列を提供し、雄型端子の先端がハウジングキャビティ入口及び相手電気コネクタの雌型コンタクト導入部と整列することを保証する。
【０００４】
【発明が解決しようとする課題】
米国特許第５，５０１，６０６号は、可動整列板がライトアングル型の印刷回路基板用ヘッダに使用される従来のコネクタを示している。しかし、ライトアングル型の雄型ピン端子はヘッダハウジングにラッチされるようには見えず、嵌合の際、板は雄型端子の先端の誤整列を矯正するよう作用するのみである。
【０００５】
【課題を解決するための手段】
本発明は、印刷回路基板から延びると共に、電気コネクタが印刷回路基板と嵌合すると電気コネクタ内の雌型端子に複数の雄型端子を整列させるのに使用され得る装置、すなわち端子配置ハウジング組立体である。装置は、複数の開口すなわち貫通孔を有する固定板を有する。これらの開口は、開口を貫通して雄型端子が挿入できる寸法に設定され、端子すなわちブレードを横方向に整列させる。また、開口は、固定板に向ってシフト可能で雄型端子すなわちブレードに沿って移動する整列板を有する。この整列板は、整列板を貫通して雄型端子すなわちブレードが挿入できる寸法に設定された第２開口を有する。雄型端子が第１開口を最初に貫通し次に第２開口を貫通するにつれて、雄型端子は次第に整列されるように、整列板は固定板から離間した位置に保持されている。整列板は、雄型端子が２個の離間した整列開口を通って挿入されると、端子配置ハウジング組立体の一部として延長位置で保持される。
【０００６】
本明細書に示された好適実施形態において、固定板及び整列板は、印刷回路基板端子が印刷回路基板に取り付けられた後、印刷回路基板上に位置決めされる。整列板は、固定板を有するハウジングのキャビティ内に配置される。固定及び整列板の両方は、印刷回路基板端子の基部及び印刷回路基板から離間されているので、固定及び整列板は、誤整列した端子が相手コネクタの雌型端子と嵌合する位置により接近するようそれら端子を移動する。また、端子配置ハウジング及び整列板は、多数の印刷回路基板端子すなわちブレードが相手プラグコネクタの多数の雌型又はリセプタクル端子と嵌合する際の嵌合力を克服するボルト等の機械的補助部材と共に使用することに好適である。この端子配置ハウジング組立体は、自動車に使用される、隔壁に実装された電子モジュール、ジャンクションボックス又は配電センタと共に使用することに好適である。また、固定及び可動整列板は、アレー状に配置された端子と共に使用でき、印刷回路基板、及び印刷回路基板に半田付け又は取り付けられた端子と共に使用することに制限されない。
【０００７】
【発明の実施の形態】
以下、添付図面を参照して本発明の好適実施形態を説明する。図１ないし図１０は、端子配置ハウジング組立体及びそれと共に使用されるプラグコネクタの第１実施形態を示す。プラグコネクタ１４は、プラグコネクタ１４に接続されたハーネスの電線を、印刷回路基板組立体６から延びる雄型印刷回路基板端子すなわちブレード１２に接続する。ブレード１２は同一寸法である必要はなく、多くの用途では、２種類以上の寸法のブレードが同一の印刷回路基板組立体６に使用される。本実施形態において、印刷回路基板６は、隔壁、壁又はボックスカバー２の背後に配置された２枚の印刷回路基板８，１０を有する。ブレードは、隔壁の開口４を貫通し、多数のコンタクトを有するプラグコネクタ１４のリセプタクル端子１６と嵌合するためにアクセス可能である。この種の印刷回路基板組立体は、自動車内の配電センタ(power distribution center)及びジャンクションボックス又は他の電子モジュール内に見られるのが代表的である。
【０００８】
図１１ないし図１７は、同様の用途に使用できる別の実施形態を示す。この第２実施形態は、端子配置ハウジングを印刷回路基板組立体及び隔壁に実装する別の方法を示している。
【０００９】
これら実施形態の各々は、ブレード１２及び対応するリセプタクル端子１６間を位置決めし、整列を維持するので、プラグコネクタ１４は印刷回路基板組立体に嵌合可能である。各実施形態において、端子配置ハウジング及び整列板は、端子配置ハウジング及び可動整列板の整列開口内へ、印刷回路基板に前もって取り付け又は半田付けされたブレード端子のアレーを挿入することにより、印刷回路基板組立体、電子部品、又は印刷回路基板組立体が関連する隔壁に実装される。印刷回路基板組立体にプラグコネクタを嵌合するのにボルト及び関連するねじ付きナット等の機械的補助が必要とされる場合、端子配置ハウジング及び可動整列板は、ブレード、特にブレードの先端が適切な位置を保つので、嵌合のために印加される機械的力が隔壁、印刷回路基板又はブレード自体を歪める傾向があっても、ブレードは所定のパターンの対応するリセプタクル端子と嵌合できる。
【００１０】
図１及び図４に示されるプラグコネクタ１４は、プラグ嵌合面１８及びプラグ後面間を延びる端子キャビティ２２内に配置されるリセプタクルすなわち雌型コンタクトすなわち相手端子１６を有する。これら端子１６は、全体として形状が従来のものであり、コネクタの後部から延出するハーネス（図示せず）の電線に圧着又は接続される。弾性ハウジングランス２４がハウジングキャビティ２２内に端子１６を固定し、２次ロック２６が両側から挿入可能である。ワイヤカバー３２がプラグコネクタ１４の後部に取り付けられる。ボルト９６がワイヤカバー３２を通ってアクセス可能であり、ボルトのねじ部は、プラグ嵌合面１８を超えて延び、プラグコネクタ１４が嵌合する端子配置ハウジング３４内の相手ねじ部と係合できる。
【００１１】
第１実施形態において、端子配置ハウジング３４及び可動整列又はすなわち案内板４２は、プラグコネクタ１４との嵌合の際、雄型印刷回路基板端子すなわちブレード１２を整列させるために使用可能な端子配置ハウジング組立体を形成する。端子配置ハウジング３４は、複数の開口３８を有する基部すなわち固定板３６を有する。開口３８は、端子すなわちブレード１２の配置に対応してアレー状に配置される。ブレード１２は、図３に示されるように印刷回路基板組立体６を形成する２枚の印刷回路基板８，１０の一方に予め半田付けされ又は実装されている。また、整列板４２は、ブレード１２の配置に一致するアレー状に配置される。従って、固定板３６の第１開口３８及び整列板４２の第２開口４４は相互に整列し、整列板が固定板から離間した位置に保持された状態で、ブレード１２が最初に開口の第１アレーに挿入され、次に開口の第２アレーに挿入されると、ブレード１２は、その端部がプラグコネクタ１４の雌型リセプタクル端子１６と嵌合するために最初に適切に配置されるように、次第に整列する。また、固定板３６及び整列板４２は、ブレード１２及びリセプタクル端子１６の嵌合の際、高い嵌合力又は隔壁２を変形又は撓める傾向がある機械的補助装置があっても、ブレード１２が適当に整列すなわち配置された状態を保つ。
【００１２】
整列板４２は、矩形形状を有する成形されたプラスチック部材であるので、端子配置ハウジング３４の嵌合面に形成された矩形キャビティ６６内に嵌ることができる。ブレード端子１２が挿入できる各開口４４は、略矩形形状を有し、略平板の対向面間を延びる。開口４４は図３及び図１０に示されるテーパが形成された導入部４６を有するので、ブレード１２の先端を開口４４内に集めることができる。
【００１３】
ガイドポスト５０，５２は、整列板４２の角４８において互いに逆向きの両方向に延びている。底側のガイドポスト５０は、プラグコネクタ１４が印刷回路基板ブレード１２に嵌合する間、整列板４２がハウジング３４に対して印刷回路基板８，１０まで移動するにつれて、整列板の開口４４及び固定板の開口３８間の適当な整列を維持する一次ガイド手段を有する。上側のガイドポスト５２は二次ガイド手段を有し、嵌合の際、プラグコネクタ１４の嵌合面の開口内に受容されるので、整列板は、適当な方向を向いた状態を保たれ、図３に示される初期コンタクト整列位置から図４に示される嵌合完了位置まで移動すると、相対的な横方向移動に抗することを強制される。
【００１４】
また、整列板４２は、図３に示されるように初期の延長位置すなわち嵌合前位置に整列板を維持するラッチアーム５４を有する。これらのラッチアーム５４は、プラグコネクタ１４が印刷回路基板組立体６に嵌合すると、端子ハウジング３４との係合が解除される。これらのラッチアームの作用態様は、米国特許第５，５０１，６０６号に詳細に説明されている。また、整列板４２は、アレー状のブレード１２を最初に固定板３６の第１開口３８のアレー内に挿入し、次に整列板４２の第２開口４４のアレー内に挿入することによって、端子配置ハウジング組立体が印刷回路基板組立体６上に実装されると、端子配置ハウジング３４の表面に当接して図３に示される延長位置に保持される。
【００１５】
開口４４に加え、整列板４２はまた、端子配置ハウジング３４のサイロ６８を受容する寸法の中央開口５６を有する。十字形の４個の整列ポスト用開口５８は、サイロ用中央開口５６と並んで開口の周囲の４分割された各々の位置に配置される。これら整列ポスト用開口５８は、端子配置ハウジング３４に配置される整列ポスト８０を受容する寸法に設定される。端子配置ハウジング３４は、後述の方法でプラグコネクタ１４を端子配置ハウジング組立体及び印刷回路基板ブレード１２に整列することを意図される。
【００１６】
端子配置ハウジング３４は、一体の成形プラスチック製部材であり、板縁６２から上方に延びてキャビティ６６を取り囲むシュラウドを形成する４個の外周壁６０を有する固定板３６の形態の基部を有する。整列板４２は、キャビティ６６内に配置され、図３に示される延長位置から図４に示される嵌合完了位置にシフト可能である。こうして端子配置ハウジング３４は、ハウジングに実装されたコンタクトすなわち端子１２のないシュラウド付きのヘッダの形態である。固定板３６のアレー状の開口３８は、端子配置ハウジングが隔壁２又は印刷回路基板組立体６に実装される際に、端子ブレード１２の挿入を許容する寸法に設定される。しかし、開口３８の側部がブレード１２の横方向の移動を制限するが、端子１２は開口３８内に固定されず、こうしてブレード１２を整列させるよう作用する。
【００１７】
ガイドポスト開口８２は、固定板３６の角に隣接して配置される。これらの開口は、整列板上の下側ガイドポスト５０と整列し、図４に示される嵌合完了位置へ整列板４２を移動可能にするばかりでなく、整列板４２の移動の間、整列板４２が起こされすなわち整列しなくなることがないことを保証する。
【００１８】
外壁６０に加え、他の構造物が、端子配置ハウジング３４の固定基部すなわち固定板３６から上方に突出する。各々十字形状を有する４個の整列ポスト８０は、壁６０の上縁を超えて上方に延びる。これらの整列ポスト８０は、整列板４２の同様形状の開口５８を貫通して上方に延びる。これら整列ポスト８０は今度は、プラグコネクタ１４の整列ポスト用開口２８内に受容され、嵌合の間、プラグコネクタ１４を端子配置ハウジング３４及び端子ブレード１２に案内又は整列させる。
【００１９】
連続した薄壁の形態のサイロ６８は、固定板すなわち基部３６から上方に延びる。このサイロは、内部で開放し、プラグコネクタ１４に保持された嵌合補助ボルト９６を受容するための空間を形成する。ナット又はリング等の雌型ねじ部材７２の形態の固定具は、ボルト９６と螺合する作用をなす内縁を有し、サイロ６８内に配置される。固定ボルト９６が固定具すなわちナット７２と螺合すると、ボルト９６の回転により、プラグコネクタ１４が端子ブレード１２と係合完了し、嵌合に抗する力を克服する。従来のボルト締め型コネクタ組立体において、中央位置に印加されるこの力は隔壁すなわち壁の変形を引き起こす。このように壁すなわち隔壁が変形すると、隔壁の撓みに合わせて隔壁を貫通する端子も横方向に変位し得るので、印刷回路基板端子は、嵌合するリセプタクル端子と最早整列しない。
【００２０】
図１ないし図１０の実施形態の端子配置ハウジング３４は、フランジインタフェース８６に対して端子配置ハウジング３４をラッチすることにより、隔壁２に実装される。図５ないし図７に示されるこの隔壁フランジは、矩形であり、端子配置ハウジング３４が挿入される矩形中央室８８を形成する。成形された可撓性スナップラッチ８４は、ハウジング３４の側面から延び、フランジ８６のラッチ開口９４にスナップ係合してハウジング３４を隔壁２に固定する。ボルト９６が端子ハウジング３４のナット７２と螺合するので、ボルトを締めることにより印加される力は、この中央位置のみでは隔壁に伝達されない。代わりに、この力は、フランジ８６を通って伝達され、多数のスナップラッチ８４によりフランジの周りに分配される。フランジ８６は隔壁２の一部である。端子配置ハウジングを印刷回路基板組立体６に直接取り付ける代わりに、端子配置ハウジング３４を隔壁２にラッチすることにより、潜在的に価値のある印刷回路基板占有空間にラッチ専用の空間を設ける必要がない。
【００２１】
フランジインタフェース基部９０は、印刷回路基板組立体６が隔壁２に又は隔壁２内に実装される際に印刷回路基板ブレード１２を受容する寸法に設定された基部端子開口９２のアレーを有する。図１０に示されるように、基部開口９２はブレード１２を最初に整列するよう作用することができる。次に、端子配置ハウジング３４の開口３８は、端子ブレード１２をより正確に整列する作用をなす。最後に、整列板４２の開口４４は、プラグコネクタ１４のリセプタクルコンタクト１６の位置に対応した真正位置(true position)に端子ブレードをより接近して整列する作用をなす。こうして、各端子ブレード１２が開口９２，３８，４４により次第に整列されるので、真正位置の許容差はテーパが形成された開口によって小さくなる。このようにしてブレード１２の先端は、ブレードの下端よりも精確に整列される。ブレード先端の位置は、整列板の開口を貫通することにより、固定板の開口を最初に通過する際より正確になるが、固定板は、ブレードが整列板の開口内に入るための整列を補助する。この整列は、比較的剛性を有するブレード１２が使用される場合に特に意義がある。このような剛性ブレードは、嵌合の間、浮動する傾向が小さいからである。２個の互いに嵌合するコネクタの端子が横方向に浮動できる場合においては、整列の問題はそれほど克服困難ではない。
【００２２】
図１１ないし図１７は端子配置ハウジング組立体の第２実施形態を示す。ここで端子配置ハウジング１３４は、図１ないし図１０の実施形態におけるようなフランジにラッチされる代わりに、印刷回路基板組立体１０６に対して直接ボルト締めされる。
【００２３】
端子配置ハウジング１３４の詳細は図１１及び図１２に示される。成形されたハウジング１３４は、図１６及び図１７に示される印刷回路基板ブレード１１２を受容する第１開口１３８を有する基部すなわち固定板１３６を有する。ハウジング外壁１６０はキャビティ１６６を形成する。外側取付け舌片１６２は、ハウジング壁１６０により形成されるシュラウドの基部でハウジング１３４の周囲に延びる。図１６及び図１７に示されるように、この舌片１６２は、端子配置ハウジング１３４が隔壁開口１０４を貫通すると、隔壁１０２の下に嵌る。
【００２４】
十字形の断面を有する４個の整列ポスト１８０は、図１ないし図１０の実施形態と同様な方法で、ハウジング固定板１３６から上方に延びる。また、ハウジング１３４は、板１３６から上方に延びる６本のこじり防止(anti-scooping)ポスト２００を有する。ポスト２００は、異なる断面を有し、ポスト２００を取り囲む端子ブレード１１２に対する損傷を防止することが意図される。作業者がうっかり相手プラグコネクタをある角度で挿入し端子ブレード１１２を掬うと、端子の損傷が生じ得る。こじり防止ポスト２００は損傷の可能性に対してブレード１１２を保護する。また、こじり防止ポスト及び延長（非嵌合）位置の整列板は、工具、又は不注意で端子ブレードに当たり得る他の機器による端子ブレードの損傷を防止するよう作用する。
【００２５】
固定板１３６の中央から上方に延びるサイロ１６８は、相手プラグコネクタから延びるボルトと螺合するねじ部材すなわちナット１７２（ねじ部は図示されていない）を含むサイロ中央部の上に延びる外側スカート部１７０を有する。このスカート部は、ねじ部材の損傷を防止するのみならず、電線又は他のものがねじ部に引っ掛かるのを防止する。
【００２６】
図１６及び図１７に示されるように、端子配置ハウジング１３４は、２枚の印刷回路基板１０８，１１０を含む印刷回路基板組立体１０６上に配置され、固定板１３６は上側印刷回路基板１０８から離間する。換言すると、ブレード１１２の長さの一部は固定板１３６及び印刷回路基板１０８間を延びるので、開口１３８は、印刷回路基板１０８及びブレード１１２底部から離間した位置でブレード１１２を整列させる。端子ハウジング１３４は、図１２、図１６及び図１７に示されるように、固定板１３６の底面から延びる４個の取付けポスト１７４を有する。これらの取付けポスト１７４は、固定板１３６の上面から延びる整列ポスト１８０で実質的な軸方向に整列されるが、このような軸方向の整列は必要ではない。また、中央支持部１７６はサイロ１６８の下に配置される。方向性キー１７８は、図１２に示される中央支持部１７６から、及び４本の取付けポスト１７４うちの２本から延びる。これらのキー１７８は、上側印刷回路基板１０８の穴内に嵌まり、端子配置ハウジングを印刷回路基板組立体１０６に整列させ、端子配置ハウジング１３４が適当な方向性で実装されるのを保証する。
【００２７】
端子配置ハウジング１３４のキャビティ１６６内に嵌る整列板１４２は図１３ないし図１６に示される。この整列板１４２は、図２ないし図４に示される整列板４２と実質的に同じである。整列板１４２は、固定板開口１３８と整列した第２開口１４４のアレー、整列ポスト開口１５８、サイロ１６８用中央開口１５６、ガイドポスト１５０、及びラッチアーム１５４を有する。また、整列板１４２はこじり防止ポスト２００用の６個の開口２０２を有する。
【００２８】
図１６及び図１７は、端子配置ハウジング組立体が印刷回路基板組立体１０６に実装される態様、及び端子配置ハウジング組立体の補助によりプラグコネクタ１１４が印刷回路基板ブレード１１２と嵌合すると、整列板１４２がシフトする態様を示す。本実施形態では、端子配置ハウジングは、中央サイロ１６８の基部で取付けボルト１９８によって上側印刷回路基板１０８に直接ボルト締めされる。固定板１３６の開口１３８及び可動整列板１４２の開口１４４の両方は、図１６に示されるように、軸方向に離間した位置でブレード１１２を横方向に支持し整列させる。次に、プラグコネクタ１１４は、図１ないし図１０の実施形態と実質的に同じ態様で、端子配置ハウジング１３４及び可動整列板１４２の補助により、印刷回路基板ブレードに嵌合できる。図１７に示されるプラグコネクタ１１４は、実質的にプラグコネクタ１４と同じであり、端子キャビティ１２２内に配置され、端子ラッチ１２４により所定位置に保持される雌型端子１１６を有する。図１７に示されていないが、プラグコネクタ１１４も、整列ポスト１８０を受容する整列ポスト開口を有する。プラグコネクタ１１４は、端子配置ハウジング１３４から上方に延びるこじり防止ポスト２００用の開口を同様に有するので、プラグコネクタ１１４は嵌合完了可能である。
【００２９】
本明細書に示された代表的な２実施形態は、単一の端子配置ハウジング３４，１３４及び１個の整列板４２，１４２の補助によって印刷回路基板ブレード１２，１１２に嵌合する単一のプラグコネクタ１４，１１４のみを示した。しかし、このアプローチは、複数のプラグコネクタ１４，１１４を印刷回路基板ブレード１２，１１２に嵌合するときの使用に特に適合する。複数のコネクタの使用は、各プラグコネクタとの嵌合に要する力を制限し、嵌合の際の隔壁、印刷回路基板又はブレード１２，１１２の潜在的変形を更に制限する。従って、本明細書に示された２実施形態は、代表例に過ぎず、他の同様な実施形態もあり得る。本発明の好適実施形態は印刷回路基板端子と共に使用されているが、端子配置ハウジング及び整列板はこのような使用に限定されないことを理解すべきである。例えば、本発明は、隔壁の別側に取り付けられた相手電気コネクタに挿入された端子のアレーを用いてもよい。本明細書に示された代表的な２実施形態の端子配置ハウジング組立体により、端子、特に雄型ピン又はブレードが正確に整列配置され、隔壁の開口のみが使用されることが可能になる。従って、本発明は、本明細書に示された実施形態に限定されない代わりに、特許請求の範囲で定義される。
【図面の簡単な説明】
【図１】本発明の第１実施形態の図２に示される端子配置ハウジング組立体と嵌合可能なプラグコネクタ組立体の斜視図である。
【図２】ハウジングと、図１に示されたプラグコネクタに嵌合可能なシフト可能な整列板とからなる端子配置ハウジング組立体の斜視図である。
【図３】自動車の配電センタ又はジャンクションボックスでの使用に適合する、隔壁内に配置された印刷回路基板組立体に配置され図２に示された端子配置ハウジング組立体を示す断面図であり、雄型端子が端子配置ハウジングに挿入される際の整列板及びハウジングの相対位置を示す。
【図４】印刷回路基板組立体に配置された図２の端子配置ハウジングと嵌合する図２のプラグコネクタを示す断面図である。
【図５】図２の端子配置ハウジング組立体が実装できる隔壁インタフェースフランジの平面図である。
【図６】図５の隔壁インタフェースフランジの側断面図である。
【図７】図５の隔壁インタフェースフランジの端側断面図である。
【図８】図２に示された端子配置ハウジングの平面図である。
【図９】図１のプラグコネクタの嵌合面を示す図である。
【図１０】雄型印刷回路基板端子又はブレードが隔壁、端子配置ハウジング及び整列板によって次第に整列する態様を示す分解部分断面図である。
【図１１】本発明の第２実施形態の端子配置ハウジングの斜視図である。
【図１２】図１１に示された端子配置ハウジングの断面図である。
【図１３】端子配置ハウジング組立体の部分として図１１の端子配置ハウジングと共に使用できる整列板の斜視図である。
【図１４】図１３に示される整列板の平面図である。
【図１５】図１３に示された整列板の断面図である。
【図１６】隔壁、壁すなわちカバーの背後に配置された印刷回路基板に実装された端子配置ハウジング組立体の断面図である。
【図１７】図１６の端子配置ハウジング組立体と嵌合するプラグコネクタを示す断面図である。
【符号の説明】
２，１０２    隔壁
１２，１１２  雄型端子（ブレード）
１４，１１４  電気コネクタ（プラグコネクタ）
１６，１１６  雌型端子
３４，１３４  端子配置ハウジング
３６，１３６  固定板
３８，１３８  開口
４２，１４２  整列板
４４，１４４  開口
６８，１６８  サイロ
７２，１７２  固定具（ナット）
９６          ボルト
１７０        スカート部
８０，１８０  整列ポスト
【図１】
0004127612.tif 000002
【図２】
0004127612.tif 000003
【図３】
0004127612.tif 000004
【図４】
0004127612.tif 000005
【図５】
0004127612.tif 000006
【図６】
0004127612.tif 000007
【図７】
0004127612.tif 000008
【図８】
0004127612.tif 000009
【図９】
0004127612.tif 000010
【図１０】
0004127612.tif 000011
【図１１】
0004127612.tif 000012
【図１２】
0004127612.tif 000013
【図１３】
0004127612.tif 000014
【図１４】
0004127612.tif 000015
【図１５】
0004127612.tif 000016
【図１６】
0004127612.tif 000017
【図１７】
0004127612.tif 000018